(57)【特許請求の範囲】
【請求項１】
弁室に一の流入口と複数の流出口とを設け、前記複数の流出口の夫々に、弁座と、弁室内に位置して前記弁座に対して着座及び離間自在な弁体とを設け、
前記各弁体を前記各弁座に着座するように前記各流出口側へ向けて付勢する付勢手段と、
前記各流出口に連なる各出口側流路内に、前記各弁体を押圧して前記各弁座から離間可能な弁体押圧位置と前記各弁体を押圧しない弁体非押圧位置とに直線移動自在に保持された複数の押圧力伝達部と、
前記付勢手段の付勢力に抗して前記各弁体が択一的に前記各弁座から離間するように、複数の前記押圧力伝達部を択一的に前記弁体押圧位置へ移動させる移動操作手段が設けられ、
前記移動操作手段が、異なる回転角度位置において複数の前記押圧力伝達部の夫々に当接して前記弁体を前記弁体押圧位置へ移動させるカム部を備えた回転操作式の回転操作部で構成された流路切換装置であって、
複数の前記押圧力伝達部の直線移動方向が互いに平行で、且つその直線移動方向視において、一直線上に位置するように並列配置され、
前記回転操作部の回転軸心が、複数の前記押圧力伝達部の直線移動方向と平行に配置され、且つ、前記回転操作部の回転軸心が、複数の前記押圧力伝達部の直線移動方向視で、複数の前記押圧力伝達部の何れか一つに重畳するように配設されている流路切換装置。
【請求項２】
前記回転操作部には、前記押圧力伝達部の直線移動方向視で、前記回転軸心を中心とする第１円の周上に、前記回転軸心に重畳するよう配設された前記押圧力伝達部としての第１押圧力伝達部の側へ突出する第１突出部を、前記第１円の周上が前記第１押圧力伝達部に重畳する状態で、前記カム部として備え、
前記押圧力伝達部の直線移動方向視で、前記第１押圧力伝達部は、前記回転操作部側の端部において、前記回転操作部の側へ膨出する膨出部と、前記回転操作部の側とは反対側へ引退する引退部とを、前記回転操作部の回転方向に回転しない状態で、前記第１円の周上に備えている請求項１に記載の流路切換装置。
【請求項３】
前記カム部の前記第１突出部は、前記第１円の周上で中心に対して点対称に設けられると共に突出量が等しい一対の第１突出部位から成り、
前記膨出部は、前記第１円の周上で中心に対して点対称に設けられると共に膨出量が等しい一対の膨出部位から成る請求項２に記載の流路切換装置。
【請求項４】
前記膨出部は、前記第１円の周上に沿って、前記引退部から徐々に膨出する傾斜部位を有する請求項２又は３に記載の流路切換装置。
【請求項５】
前記第１押圧力伝達部は、前記各出口側流路の内面に沿って摺動移動して前記弁体に当接して押圧する棒状の押し部材と、前記膨出部と前記引退部とを有する被押圧側カム部材とを、別体に備えている請求項２〜４の何れか一項に記載の流路切換装置。
【請求項６】
前記第１押圧力伝達部に対応する前記出口側流路の内面には、前記直線移動方向に沿う切欠部が形成され、
前記被押圧側カム部材には、前記切欠部に嵌り込む凸部が設けられている請求項５に記載の流路切換装置。
【請求項７】
前記押圧力伝達部の数が３つで、且つ前記第１押圧力伝達部が一直線上に並列配置される押圧力伝達部の中央に位置するものであり、
前記回転操作部に設けられるカム部は、前記押圧力伝達部の直線移動方向視において、前記第１円よりも径が大きく且つ前記第１円と同心円の第２円の周上に、前記押圧力伝達部の側へ突出する状態で前記第１押圧力伝達部以外の複数の押圧力伝達部に各別に当接可能である第２突出部を備え、
前記第１突出部と前記第２突出部とが、双方を前記回転軸心回りで異なる設置位相に配設する形態で、前記押圧力伝達部に各別に当接して前記弁体を前記弁体押圧位置へ移動させる請求項２〜６の何れか一項に記載の流路切換装置。
【請求項８】
請求項１〜７の何れか一項に記載の流路切換装置を備える浄水器であって、
前記複数の流出口の夫々が、浄化部を通流して浄化された浄水を流出する浄水流出口と、原水を浄化することなく外部へ直流状で流出する原水流出口と、原水を浄化することなくシャワー状で流出するシャワー流出口とに連通接続されている浄水器。
【発明の詳細な説明】
【技術分野】
【０００１】
本発明は、弁室に一の流入口と複数の流出口とを設け、前記複数の流出口の夫々に、弁座と、前記弁室内に位置して前記弁座に対して着座及び離間自在な弁体とを設け、前記各弁体を前記各弁座に着座するように前記各流出口側へ向けて付勢する付勢手段と、前記各流出口に連なる各出口側流路内に、前記各弁体を押圧して前記各弁座から離間可能な弁体押圧位置と前記各弁体を押圧しない弁体非押圧位置とに直線移動自在に保持された複数の押圧力伝達部と、前記付勢手段の付勢力に抗して前記各弁体が択一的に前記各弁座から離間するように、前記複数の押圧力伝達部を択一的に前記弁体押圧位置へ移動させる移動操作手段が設けられ、前記移動操作手段が、異なる回転角度位置において前記複数の押圧力伝達部の夫々に当接して前記弁体押圧位置に移動させるカム部を備えた回転操作式の回転操作部で構成された流路切換装置及び浄水器に関する。
【背景技術】
【０００２】
浄水器等に設けられる流路切換装置は、特許文献１に開示されるように、原水が流入する流入室に、原水を浄化部に通流させた後に吐出するための浄水流出口、原水を浄化することなく直流状態で吐出する原水直流流出口、原水を浄化することなくシャワー状態で吐出するための原水シャワー流出口等の複数の流出口を設け、各流出口に密接した閉状態で付勢配置された複数の弁体を択一的に開状態とするように構成されている。
【０００３】
説明を追加すると、各流出口に連なる各出口側流路内に、各弁体を押圧して各弁座から離間可能な弁体押圧位置と各弁体を押圧しない弁体非押圧位置とに直線移動自在に保持された複数の押圧力伝達部と、付勢手段の付勢力に抗して各弁体が択一的に各弁体から離間するように、複数の押圧力伝達部を択一的に弁体押圧位置へ移動させる移動操作手段が、異なる回転角度位置において複数の押圧力伝達部の夫々に当接して弁体押圧位置に移動させるカム部を備えた回転操作式の回転操作部で構成されている。
【０００４】
そして、当該特許文献１に開示の技術では、複数の押圧力伝達部の直線移動方向が互いに平行で、その直線移動方向視において、複数の押圧力伝達部が、特定の円の周上に沿って位置するように構成されていると共に、回転操作部の回転中心を特定の円の中心に一致させて設け、当該回転操作部を回転操作する形態で、回転操作部に設けられているカム部により、押圧力伝達部を押圧するように構成されている。
【先行技術文献】
【特許文献】
【０００５】
【特許文献１】特許第４４３４６８３号公報
【発明の概要】
【発明が解決しようとする課題】
【０００６】
流路切換装置は、例えば、蛇口直結型の浄水器に適用される場合、蛇口とシンクの底面との間に、流路切換装置が配設されることとなる。蛇口に設けられた流路切換装置とシンクの底面との間の間隔は、作業者の操作性の観点から十分に広いことが好ましいため、流路切換装置は、厚み（特に、鉛直方向での厚み）を小さく構成することが好ましい。
しかしながら、上述した特許文献１に開示の流路切換装置は、複数の押圧力伝達部の直線移動方向が互いに平行で、その直線移動方向視において、複数の押圧力伝達部が、特定の円周上に沿って位置するように構成されており、更に、その設置状態は、回転操作部の操作性の観点から、通常、直線移動方向視での円周面が鉛直方向に沿うように配設される。
このように構成される場合、流路切換装置の鉛直方向での厚みは、複数の押圧力伝達部の設置状態から、厚くせざるを得ず、装置のコンパクト化の観点で、改善の余地があった。
【０００７】
本発明は、上述の課題に鑑みてなされたものであり、その目的は、流路の切り換えを適切に行うことができながらも、コンパクト化を図り得る流路切換装置及び浄水器を提供することにある。
【課題を解決するための手段】
【０００８】
上記目的を達成するための流路切換装置は、
弁室に一の流入口と複数の流出口とを設け、前記複数の流出口の夫々に、弁座と、前記弁室内に位置して前記弁座に対して着座及び離間自在な弁体とを設け、
前記各弁体を前記各弁座に着座するように前記各流出口側へ向けて付勢する付勢手段と、
前記各流出口に連なる各出口側流路内に、前記各弁体を押圧して前記各弁座から離間可能な弁体押圧位置と前記各弁体を押圧しない弁体非押圧位置とに直線移動自在に保持された複数の押圧力伝達部と、
前記付勢手段の付勢力に抗して前記各弁体が択一的に前記各弁座から離間するように、複数の前記押圧力伝達部を択一的に前記弁体押圧位置へ移動させる移動操作手段が設けられ、
前記移動操作手段が、異なる回転角度位置において複数の前記押圧力伝達部の夫々に当接して前記弁体を前記弁体押圧位置へ移動させるカム部を備えた回転操作式の回転操作部で構成された流路切換装置であって、その特徴構成は、
複数の前記押圧力伝達部の直線移動方向が互いに平行で、且つその直線移動方向視において、一直線上に位置するように並列配置され、
前記回転操作部の回転軸心が、複数の前記押圧力伝達部の直線移動方向と平行に配置され、且つ、前記回転操作部の回転軸心が、複数の前記押圧力伝達部の直線移動方向視で、複数の前記押圧力伝達部の何れか一つに重畳するように配設されている点にある。
【０００９】
上記特徴構成を有する流路切換装置は、複数の押圧力伝達部の直線移動方向が互いに平行で、且つ、その直線移動方向視において、一直線上に位置するように並列配置されるから、複数の押圧力伝達部を、当該一直線に直交する方向において、十分に狭い幅に収めて配設できる。更に、これに伴って、複数の押圧力伝達部に押圧される複数の弁体、及び当該複数の弁体を押圧力伝達部の押圧力に抗して付勢する付勢手段も、上記一直線に直交する方向において、十分に狭い幅に収めて配設できる。
これに加えて、回転操作部の回転軸心は、複数の押圧力伝達部の直線移動方向と平行に配置され、且つ、回転操作部の回転軸心が、複数の押圧力伝達部の直線移動方向視で、複数の押圧力伝達部の何れか一つに重畳するように配設されているから、回転操作部の回転軸心をも、上記一直線に直交する方向において、複数の押圧力伝達部が配設される十分に狭い幅に収めて配置することができる。
以上より、流路切換装置の主要構成要素である複数の弁体、それらを付勢する付勢手段、弁体を押圧する複数の押圧力伝達部、回転操作部の回転軸心を、上記一直線に直交する方向において、十分に狭い幅に収めて配置することができ、上記一直線に直交する方向において、良好にコンパクト化を図ることができる流路切換装置を実現できる。
結果、蛇口直結型の浄水器に当該流路切換装置を適用し、例えば、一直線に直交する方向を鉛直方向とすることで、当該流路切換装置からシンクの底面までの距離を十分に確保することができ、使用者の使い勝手を向上できる。
【００１０】
本発明の流路切換装置の更なる特徴構成は、
前記回転操作部には、前記押圧力伝達部の直線移動方向視で、前記回転軸心を中心とする第１円の周上に、前記回転軸心に重畳するよう配設された前記押圧力伝達部としての第１押圧力伝達部の側へ突出する第１突出部を、前記第１円の周上が前記第１押圧力伝達部に重畳する状態で、前記カム部として備え、
前記押圧力伝達部の直線移動方向視で、前記第１押圧力伝達部は、前記回転操作部側の端部において、前記回転操作部の側へ膨出する膨出部と、前記回転操作部の側とは反対側へ引退する引退部とを、前記回転操作部の回転方向に回転しない状態で、前記第１円の周上に備えている点にある。
【００１１】
上記特徴構成によれば、回転操作部の回転操作に伴って、第１押圧力伝達部を弁体押圧位置と弁体非押圧位置との間で移動させるカム部としての第１突出部と、第１押圧力伝達部の側で当該カム部の当接を受ける従動機構としての膨出部及び引退部とを、押圧力伝達部の直線移動方向視において、第１押圧力伝達部に重畳する位置に配設できる。
しかも、回転操作部の回転操作に伴って、回転操作部の第１突出部が、回転操作部の回転軸心を中心とする第１円の周上に沿って回転し、回転操作部の第１突出部が第１押圧力伝達部の膨出部に当接することで、第１押圧力伝達部を弁体を押圧する弁体押圧位置に移動させることができると共に、回転操作部の第１突出部が第１押圧力伝達部の引退部に嵌り込むことで、第１押圧力伝達部を弁体を押圧しない弁体非押圧力位置に移動させることができる。
即ち、上述の構成を採用することにより、押圧力伝達部の直線移動方向視で、回転操作部の回転中心と、複数の押圧力伝達部のうちの一つである第１押圧力伝達部とを重畳させた状態であっても、回転操作部の回転操作により、第１押圧力伝達部にて、それに対応する弁体に良好に押圧力を伝達できる。
【００１２】
本発明の流路切換装置の更なる特徴構成は、
前記カム部の前記第１突出部は、前記第１円の周上で中心に対して点対称に設けられると共に突出量が等しい一対の第１突出部位から成り、
前記膨出部は、前記第１円の周上で中心に対して点対称に設けられると共に膨出量が等しい一対の膨出部位から成る点にある。
【００１３】
上記特徴構成によれば、回転操作部の第１突出部を、第１円の周上で中心に対して点対称に設けられると共に突出量が等しい一対の第１突出部位から構成すると共に、第１押圧力伝達部の膨出部を、第１円の周上で中心に対して点対称に設けられると共に膨出量が等しい一対の膨出部位から構成するから、例えば、第１押圧力伝達部が弁体押圧位置に位置するときに、当該第１押圧力伝達部を、押圧力伝達部の直線移動方向視で、回転操作部の回転軸心（回転中心）を中心とする一対の操作支点（第１突出部位の頂点）にて、押圧操作できる。
これにより、第１押圧力伝達部への回転操作部からの押圧操作を一点の操作支点にて行う場合に比べ、第１押圧力伝達部への押圧操作力の伝達を、より良好に行うことができると共に、第１押圧力伝達部の姿勢が乱れを抑制できる。
【００１４】
本発明の流路切換装置の更なる特徴構成は、
前記膨出部は、前記第１円の周上に沿って、前記引退部から徐々に膨出する傾斜部位を有する点にある。
【００１５】
上記特徴構成によれば、膨出部は、押圧力伝達部の直線移動方向視における第１円の周上に沿って、引退部から徐々に膨出する傾斜部位を有するから、回転操作部を回転操作する場合で、回転操作部の第１突出部にて当接されるときに、傾斜部位にて第１突出部に徐々に押圧されながら徐々に移動できるから、第１突出部の第１円の周上に沿う動きを円滑にすることができる。結果、回転操作部の回転操作の操作性を向上できる。
【００１６】
本発明の流路切換装置の更なる特徴構成は、
前記第１押圧力伝達部は、前記各出口側流路の内面に沿って摺動移動して前記弁体に当接して押圧する棒状の押し部材と、前記膨出部と前記引退部とを有する被押圧側カム部材とを、別体に備えている点にある。
【００１７】
上記実施形態によれば、第１押圧力伝達部を、回転操作部のカム部が当接しながら摺動する被押圧側カム部材と、弁体に当接して押圧する棒状の押し部材とから構成しているから、回転操作部のカム部が当接しながら摺動することで摺り減ったり欠けたりする虞のある被押圧カム部材のみを、棒状の押し部材と別に交換することができ、メンテナンス性を向上できる。
【００１８】
本発明の流路切換装置の更なる特徴構成は、
前記第１押圧力伝達部に対応する前記出口側流路の内面には、前記直線移動方向に沿う切欠部が形成され、
前記被押圧側カム部材には、前記切欠部に嵌り込む凸部が設けられている点にある。
【００１９】
上記特徴構成によれば、被押圧側カム部材は、その凸部が出口側流路の切欠部に嵌り込むから、回転操作部の回転操作に伴って、回転操作部のカム部が当接して摺動移動する際にも、当該回転操作部の回転と供回りすることが防止される。
【００２０】
本発明の流路切換装置の更なる特徴構成は、
前記押圧力伝達部の数が３つで、且つ前記第１押圧力伝達部が一直線上に並列配置される押圧力伝達部の中央に位置するものであり、
前記回転操作部に設けられるカム部は、前記押圧力伝達部の直線移動方向視において、前記第１円よりも径が大きく且つ前記第１円と同心円の第２円の周上に、前記押圧力伝達部の側へ突出する状態で前記第１押圧力伝達部以外の複数の押圧力伝達部に各別に当接可能である第２突出部を備え、
前記第１突出部と前記第２突出部とが、双方を前記回転軸心回りで異なる設置位相に配設する形態で、前記押圧力伝達部に各別に当接して前記弁体を前記弁体押圧位置へ移動させる点にある。
【００２１】
上記特徴構成によれば、まずもって、押圧力伝達部の数が３つで、且つ第１押圧力伝達部が一直線上に並列配置される押圧力伝達部の中央に位置するものとし、第１円よりも大径で且つ第１円と同心の第２円の周上に第２突出部を設けることで、当該第２突出部を第１押圧力伝達部以外の複数の押圧力伝達部に各別に当接することができる。
このような構成を採用することで、回転操作部に設けられるカム部の設置位置を、押圧力伝達部の直線移動方向視で、第２円の周上及び内部に位置させることができるから、第２円の径を小さくすることで、流路切換装置の一直線に直交する方向での幅を、十分に小さくできる。
更に、第１突出部及び第２突出部が、回転軸心回りで異なる設置位相にて設けてあるから、押圧力伝達部に各別に当接して弁体を弁体押圧位置へ移動させることができる。
【００２２】
請求項１〜７の何れか一項に記載の流路切換装置を備える浄水器としては、前記複数の流出口の夫々が、浄化部を通流して浄化された浄水を流出する浄水流出口と、原水を浄化することなく外部へ直流状で流出する原水流出口と、原水を浄化することなくシャワー状で流出するシャワー流出口とに連通接続されていることが好ましい。
【図面の簡単な説明】
【００２３】
【図１】浄水器の側面図
【図２】浄水器を下方（原水流出方向）から視た平面図
【図３】浄水器及び流路切換装置の一部分解斜視図
【図４】第１押圧力伝達部がカム部に当接している状態を示す一部断面図
【図５】図１のＶ−Ｖで示す浄水器及び流路切換装置の一部断面図で、第１押圧力伝達部がカム部に当接している状態を示す図
【図６】第１押圧力伝達部以外の押圧力伝達部がカム部に当接している状態を示す一部断面図
【図７】図１のＶＩＩ−ＶＩＩで示す浄水器及び流路切換装置の一部断面図で、第１押圧力伝達部以外の押圧力伝達部がカム部に当接している状態を示す図
【図８】回転操作部の回転操作によりカム部と第１押圧力伝達部との当接状態を示す図
【図９】回転操作部の回転操作によりカム部と第１押圧力伝達部以外の押圧力伝達部との当接状態を示す図
【図１０】第１円の周上に設けられる第１突出部、及び第２円の周上に設けられる第２突出部の位相関係を示す図
【図１１】被押圧側カム部と、回転操作部との関係を示す斜視図
【発明を実施するための形態】
【００２４】
流路切換装置１００、及びそれを備えた浄水器２００の実施形態を、図面に基づいて説明する。
図１、図２、図３に示すように、浄水器２００は、蛇口８０に接続可能に構成される浄水器本体７２と、原水を浄化する濾材や中空糸等から構成されている浄化カートリッジ６０を内部に配設する浄化カートリッジ収容部７１とから構成されており、当該浄化カートリッジ収容部７１は浄水器本体７２から分離して交換可能となっている。
浄化カートリッジ収容部７１は、浄化カートリッジ６０を通流して浄化された浄水を外部に流出する浄水流出口４６と、原水をシャワー状にして外部に流出するシャワー流出口４５とを備えていると共に、浄水器本体７２は、原水を直流状態でそのまま外部に放出する原水流出口４７を備えている。
更に、浄水器本体７２には、蛇口８０から導かれる原水を、原水流出口４７へ導く原水流出路Ｗ１と、シャワー流出口４５へ導くシャワー流出路Ｗ２と、浄化カートリッジ６０を通流させた後に浄水流出口４６へ導く浄水流出路Ｗ３とに択一的に切り換える流路切換装置１００を備えている。
以上の構成により、比較的汚れやすいシャワー流出口４５を、浄水器本体７２と分離して浄化カートリッジ収容部７１に設けることで、当該シャワー流出口４５を浄化カートリッジ収容部７１を交換する際に、併せて交換することができ、シャワー流出口４５を定期的に清潔な状態にすることができる。
【００２５】
図３、４、５に示すように、浄水器２００としての浄化カートリッジ収容部７１は、浄化カートリッジ６０（図４に図示）と、浄水流出口４６を備える有底筒状の筒状本体２０と、当該筒状本体２０の上方を閉止するカートリッジ蓋部１９と、筒状本体２０の底部の下方に装着可能でシャワー流出口４５を備えるカートリッジ底部２１とから構成されている。ここで、蓋部１９と筒状本体２０の間は、環状のシール部材Ｓ３でシールされている。
当該浄化カートリッジ収容部７１の筒状本体２０の内部空間は、浄水流出路Ｗ３と連通接続されていると共に、筒状本体２０の底部とカートリッジ底部２１との間の空間は、シャワー流出路Ｗ２と連通接続されている。
【００２６】
浄水器本体７２は、図３、４に示すように、蛇口８０の端面に内部で当接する第１環状パッキン１２を介装する状態で、内挿された蛇口８０に螺着される第１環状アダプタ１３と、第１環状アダプタ１３の下面との間で上面が第２環状パッキン１３ａを挟持する第２環状アダプタ１３ｂと、第２環状アダプタ１３ｂの外周に螺着する形態で第１環状アダプタ１３の下面と第２環状アダプタ１３ｂの上面とを第２環状パッキン１３ａに圧接する締め付けリング１１とを備えている。
上記第２環状アダプタ１３ｂの内側には、第３環状パッキンＳ１により密閉された状態で、流路切換装置１００の上蓋１７から上方に突出した流入管１７ａが内挿されている。
【００２７】
更に、第２環状アダプタ１３ｂには下方へ向けて笠状に突出形成された第１笠状突部１３ｃが設けられ、上蓋１７の流入管１７ａにはその外周面から笠状に突出した第２笠状突部１７ｂｂが設けられ、図４に示す縦断面視において、流入管１７ａａを第２環状アダプタ１３ｂに内挿した状態において、第１笠状突部１３ｃと第２笠状突部１７ｂとの双方を、互いに密接した状態で、コの字状に把持する把持部材１６が設けられている。
当該把持部材１６は、浄水器本体７２の外部から抜き差し可能に設けられており、当該把持部材１６を浄水器本体７２から引き抜くことで、第１笠状突部１３ｃと第２笠状突部１７ｂとの把持を解除することができ、第１環状アダプタ１３と第２環状アダプタ１３ｂとそれらに介装される環状パッキン１２、１３ａとを蛇口８０に接続した状態を維持しながら、浄水器本体７２に内設される流路切換装置１００を蛇口８０から脱離させることができる。
【００２８】
尚、締め付けリング１１と上蓋１７との間には、上部ケーシング部材１４が介装されており、当該上部ケーシング部材１４と上蓋１７との間には、双方に当接する緩衝弾性部材１５が設けられている。
更に、上蓋１７の下方には、押さえ部材１８と流路切換装置筐体２３とが、両者に外囲される内部空間に弁室Ｖ１、Ｖ２、Ｖ３及びそれらに連なる出口側流路５１、５２、５３を形成する状態で、配設されている。流路切換装置筐体２３の下方には、底部ケーシング部材２２が設けられており、当該底部ケーシング部材２２は、複数の螺子が上部ケーシング部材１４の雌螺子部位に螺合する形態で、上部ケーシング部材１４に螺設されている。
【００２９】
次に、流路切換装置１００について説明する。
流路切換装置１００は、図３、４、５に示すように、上蓋１７の流入管１７ａ内の流入室Ｖ０に流入した原水を、複数の弁室Ｖ１、Ｖ２、Ｖ３（当該実施形態では、３つ）の夫々に各別に設けられる流出口６４、６５、６６の夫々に連なる出口側流路５１、５２、５３とから、上述した原水流出路Ｗ１、シャワー流出路Ｗ２、浄水流出路Ｗ３の何れかに各別に導くように構成されている。
尚、当該実施形態にあっては、弁室Ｖ１、Ｖ２、Ｖ３を３つ設け、それらに対応する流出口６４、６５、６６等も３つずつ設ける構成を採用しているが、特に、指定のない限り、符号の数に対応する状態で夫々の部材が設けられていることとする。
説明を追加すると、流入室Ｖ０は、弁室Ｖ１、Ｖ２、Ｖ３に連通しており、弁室Ｖ１、Ｖ２、Ｖ３の内部には、流出口６４、６５、６６の夫々に形成されるシール部材としての弁座Ｓ４に着座及び離間可能な弁体３４、３５、３６と、当該弁体３４、３５、３６の夫々を弁座Ｓ４に着座するように各流出口６４、６５、６６の側へ向けて付勢するコイルバネ３１、３２、３３（付勢手段の一例）と、流出口６４、６５、６６に連なる出口側流路５１、５２、５３内に、弁体３４、３５、３６を押圧して各弁座Ｓ４から離間可能な弁体押圧位置と各弁体３４、３５、３６を押圧しない弁体非押圧位置とに直線移動自在に保持された押圧力伝達部３７、３８、３９、４０と、操作者の回転操作に伴って押圧力伝達部３７、３８、３９、４０を直線移動させる回転操作部Ｋ（回転操作手段の一例）とが設けられている。
【００３０】
〔複数の押圧力伝達部に係る構成〕
当該実施形態では、流路切換装置１００の厚み方向（図面で矢印Ｘに沿う方向：当該実施形態では鉛直方向）での幅を薄く保つべく、出口側流路５１、５２、５３を直線流路とし、当該直線流路を互いに平行で、且つ当該直線流路に流路軸心方向視（図面で矢印Ｙに沿う方向視）で、一直線（当該実施形態では、水平方向に沿う直線）上に並列に配置している。これにより、当該出口側流路５１、５２、５３内を直線移動する押圧力伝達部３７、３８、３９、４０の直線移動方向（図面で矢印Ｙに沿う移動方向）が、互いに平行で、且つ直線移動方向視で、一直線上に並列に配置されることとなる。
尚、当該実施形態では、図５に示すように、流路切換装置１００を備える浄水器本体７２から浄化カートリッジ収容部７１へ浄水を導く浄水流出路Ｗ３、及びシャワー流出路Ｗ２の一部の流路軸心を、出口側流路５１、５２、５３の流路軸心と、その流路軸心方向視（図５で矢印Ｙに沿う方向視）で、略直線状に並列配置しており、流路切換装置１００の厚み方向（図５で矢印Ｘに沿う方向）での幅の薄型化を図っている。
【００３１】
更に、当該実施形態にあっては、回転操作部Ｋも含めた流路切換装置１００の厚み方向（図面で矢印Ｘに沿う方向）での幅を薄くするべく、押圧力伝達部３７、３８、３９、４０の直線移動方向視で、回転操作部Ｋの回転軸心（図面で直線Ｐ）が、押圧力伝達部３７、３８、３９、４０のうち、押圧力伝達部３７、３８、３９、４０の並び方向で、中央に位置する第１押圧力伝達部３８、４０に重畳するように設けられている。尚、当該実施形態においては、回転操作部Ｋの回転軸心（図面で直線Ｐ）が第１押圧力伝達部３８、４０の直線移動軸に一致するように設けられている。
このような構成を採用するべく、複数の押圧力伝達部は、回転操作部Ｋの回転軸心とその直線移動軸を一致させている第１押圧力伝達部３８、４０と、それ以外の押圧力伝達部３７、３９とは、異なる構成を採用している。
【００３２】
当該実施形態にあっては、図５、７、８、９に示すように、複数の押圧力伝達部３７、３８、３９、４０は、それらの直線移動方向視で、一直線上に並列配置されるとともに、その中央に第１押圧力伝達部３８、４０を配設し、当該第１押圧力伝達部３８、４０を挟む状態で、一対の押圧力伝達部３７、３９が設けられている。
当該一対の押圧力伝達部３７、３９は、棒状の押し部材３７、３９から構成されており、その弁体３４、３６側の端部に、弁体３４、３６に当接する第１当接部位３７ｂ、３９ｂが設けられると共に、その回転操作部Ｋ側の端部に、回転操作部Ｋが当接可能な第２当接部位３７ａ、３９ａが設けられている。
一方、第１押圧力伝達部３８、４０は、棒状の押し部材３８と、回転操作部Ｋが当接可能な被押圧側カム部材４０とから成り、棒状の押し部材３８が弁体３５側に設けられており、被押圧側カム部材４０が回転操作部Ｋ側に設けられている。
第１押圧力伝達部３８、４０を構成する棒状の押し部材３８は、その弁体３５側の端部に、弁体３５に当接する第１当接部位３８ｂが設けられると共に、その被押圧側カム部材４０側の端部に、被押圧側カム部材４０の凹欠部に嵌入する嵌入部３８ａが設けられている。
被押圧側カム部材４０は、図１１に示すように、回転操作部Ｋ側の端部において、回転操作部Ｋ側へ膨出する一対の膨出部４０ａ、４０ｂと、回転操作部Ｋ側とは反対側（弁体３５側へ引退する一対の引退部４０ｃ、４０ｄとを、第１押圧力伝達部３８，４０の直線移動軸心を中心とする円（図示せず）の円周上に、膨出部４０ａ、４０ｂと引退部４０ｃ、４０ｄとを交互に等間隔に有している。ここで、一対の膨出部４０ａ、４０ｂは、回転操作部Ｋ側への膨出量が等しく設けられている。更に、一対の膨出部４０ａ、４０ｂの夫々には、直線移動軸心を中心とする円の周上に沿って、引退部４０ｃ、４０ｄから徐々に膨出する傾斜部位４０ｆ、４０ｇを備えている。
また、被押圧側カム部材４０は、図４に示すように、出口側流路５２の内面に被押圧側カム部材４０の直線移動方向（図４で矢印Ｙ方向）に沿う一対の切欠部５２ａに、嵌まり込む一対の凸部４０ｈを有しており、直線移動軸回りでの回転が規制されている。
尚、当該実施形態にあっては、被押圧側カム部材４０は、図４、８、９、１１に示すように、一対の膨出部４０ｂを結ぶ直線が、鉛直方向に沿うように、配設されている。
更に、押し部材３７、３８、３９と、出口側流路５１、５２、５３の内面との間には、シール部材Ｓ５が設けられており、出口側流路５１、５２、５３を介して、回転操作部Ｋの側から、原水が漏出しない構成が採用されている。
【００３３】
〔回転操作部に係る構成〕
回転操作部Ｋは、図３、８、９、１０、１１に示すように、回転軸心Ｐ回りでの異なる回転角度位置において押圧力伝達部３７、３８、３９、４０の夫々に当接して弁体３４、３５、３６を各別に弁体押圧位置へ移動させるカム部４１ａ、４１ｂ、４１ｃ、４１ｄを有すると共に回転軸部４１ｅを有するカム部材４１と、当該カム部材４１の回転軸部４１ｅに外嵌する形態で回転操作部Ｋの回転軸心Ｐ回りでの回転角度を規制するリング状部材４２と、カム部材４１の回転軸部４１ｅの外周を抱き込む形態で支持する支持部材４３と、カム部材４１の回転軸部４１ｅが嵌入される開口部４４ａを有する操作レバー部材４４とを備えている。
ここで、カム部材４１には、第１押圧力伝達部の被押圧側カム部材４０の側に、当該被押圧側カム部材４０の凸部４０ｅが嵌り込む嵌入孔４１ｆが設けられており、被押圧側カム部材４０の凸部４０ｅがカム部材４１の嵌入孔４１ｆに嵌り込む形態で、互いに独立して回転自在に接続される。
回転操作部Ｋは、操作レバー部材４４を回転軸心Ｐ回りに回転操作することで、回転軸心Ｐ回りに、リング状部材４２とカム部材４１とが供回りするように構成されている。更には、リング状部材４２は、回転軸心Ｐを中心とする半円弧状部位を有しており、当該半円弧状部位の一端部位４２ａと他端部位４２ｂとが図示しない被当接部位に当接する形態で、回転角度を規制する。
カム部材４１は、図８、９、１０、１１を参照して、押圧力伝達部３７、３８、３９、４０の直線移動方向視（図面で矢印Ｙに沿う方向視）で、回転軸心Ｐを中心とする第１円Ｃ１（図１０に図示）の周上に、回転軸心Ｐに直線移動軸を一致するよう配設された第１押圧力伝達部３８、４０の側へ突出する第１突出部４１ａ、４１ｂをカム部として備えている。ここで、第１突出部４１ａ、４１ｂは、第１押圧力伝達部３８、４０の直線移動方向視で、第１円Ｃ１が第１押圧力伝達部３８、４０に重畳する状態で、備えられている。
説明を追加すると、図１０に示すように、第１突出部４１ａ、４１ｂは、第１円Ｃ１の円周上で中心に対して点対称に設けられると共に、突出量が等しい一対の第１突出部位４１ａ、４１ｂから成り、詳細な説明は後述するが、当該第１突出部位４１ａ、４１ｂの双方が、第１押圧力伝達部３８、４０のカム部材４１側の一対の膨出部４０ａ、４０ｂに当接する形態で、第１押圧力伝達部３８、４０を直線移動させる。
尚、当該第１円Ｃ１は、その径が被押圧側カム部材４０で一対の膨出部４０ａ、４０ｂ及び一対の引退部４０ｃ、４０ｄが設けられる円の径と同径にされており、両者は同心とされている。
また、カム部材４１の第１突出部位４１ａ、４１ｂを備える円筒状部分は、図４、５、７に示すように、複数の出口側流路５１、５２、５３のうち、並び方向において中央に位置する出口側流路５２に嵌り込み、位置決めされている。
【００３４】
更に、カム部材４１は、図８、９、１０、１１を参照して、押圧力伝達部３７、３８、３９、４０の直線移動方向視（図面で矢印Ｙに沿う方向視）で、上述した第１円Ｃ１と同心で、且つ径が第１円よりも大きい第２円Ｃ２（図１０に図示）の周上に、一対の押圧力伝達部３７、３９の側へ突出する第２突出部４１ｃ、４１ｄを、カム部として、第１押圧力伝達部３８、４０以外のすべての押圧力伝達部３７、３９（当該実施形態では２つ）に各別に当接可能に備えている。図１０に示すように、第２突出部４１ｃ、４１ｄは、第２円Ｃ２上において、回転軸心Ｐ回りで異なる設置位相に設けられる２つの第２突出部位４１ｃ、４１ｄとから成る。
【００３５】
更に、第１突出部位４１ａ、４１ｂと、第２突出部位４１ｃ、４１ｄとの夫々は、図１０に示すように、回転軸心Ｐ回りで異なる設置位相で設けられている。説明を追加すると、当該実施形態にあっては、回転軸心Ｐを中心として中心に対して点対称に設置された一対の第１突出部位４１ａ、４１ｂを通る直線Ｌ１と、回転軸心Ｐと第２突出部４１ｃとを通る直線Ｌ３と、回転軸心Ｐと第２突出部４１ｄとを通る直線Ｌ２とを規定した場合、直線Ｌ１と直線Ｌ３とが成す角βと、直線Ｌ１と直線Ｌ２とが成す角αとは異なる角度であり、且つαとβとの角度差が１８０°でないものとする。
尚、当該実施形態では、一対の第１突出部位４１ａ、４１ｂを通る直線Ｌ１は、鉛直方向に沿うものとする。
【００３６】
〔流路の切り換えに係る構成〕
以上の構成を採用することにより、図４、５、８に示すように、操作レバー部材４４を、カム部材４１の一対の第１突出部位４１ａ、４１ｂが被押圧側カム部材４０の一対の膨出部位４０ａ、４０ｂに当接するように、回転操作することにより、押し部材３８の第１当接部位３８ｂが弁体３５をコイルバネ３２の付勢力に抗して押圧し、原水が流出口６５を介して、原水流出路Ｗ１に導かれ、原水流出口４７から流出する。
このとき、カム部材４１の一対の第２突出部位４１ｃ、４１ｄは、設置位相を適切に設定することで、押し部材３７、３９の第２当接部位３７ａ、３９ａに当接しないようになっている。
【００３７】
一方、図６、７、９に示すように、操作レバー部材４４を、カム部材４１の一対の第２突出部位４１ｃ、４１ｄの何れかが押圧力伝達部３９の第２当接部位３９ａに当接するように、回転操作することにより、押し部材３９の第１当接部位３９ｂが弁体３６をコイルバネ３３の付勢力に抗して押圧し、原水が流出口６６を介して、シャワー流出路Ｗ２に導かれ、シャワー流出口４５から流出する。
このとき、カム部材４１の一対の第１突出部位４１ａ、４１ｂは、設置位相を適切に設定することで、被押圧側カム部材４０の引退部４０ｃ、４０ｄに位置することとなり、被押圧側カム部材４０の膨出部４０ａ、４０ｂに当接しないようになっている。また、カム部材４１の一対の第２突出部位４１ｃ、４１ｄの双方も、押し部材３７の第２当接部位３７ａに当接しないようになっている。
尚、カム部材４１の一対の第２突出部位４１ｃ、４１ｄの何れかが押し部材３７の第２当接部位３７ａに当接して、原水が浄水流出路Ｗ３に導かれる場合については、原水がシャワー流出路Ｗ２に導かれる場合と対応する構成となるため、ここではその詳細な説明を割愛する。
【００３８】
〔別実施形態〕
（１）上記実施形態では、流路切換装置１００は、複数の流出口として、３つの流出口が備えられる例を示したが、別に３つでなくても良く、３つ以上としても、２つとしても良い。
例えば、流路切換装置１００の流出口の数を２つとする場合、それを備える浄水器２００としては、原水流出口４７と浄水流出口４６とのみを備える構成を採用することが好ましい。
例えば、流路切換装置１００の流出口の数を４つとする場合、それを備える浄水器２００として、浄水流出口４６と、原水流出口４７と、シャワー流出口４５とに加え、浄水シャワー流出口を備えるように構成することが好ましい。
【００３９】
（２）上記実施形態では、一直線上に並列配置された３つの押圧力伝達部３７、３８、３９、４０のうち、並び方向で中央に、棒状の押し部材３８と被押圧側カム部材４０とから成る第１押圧力伝達部３８、４０を備えると共に、第１押圧力伝達部３８、４０の直線移動軸に回転操作部Ｋの回転軸心Ｐを一致させる構成を示した。
しかしながら、例えば、棒状の押し部材３８と被押圧側カム部材４０とから成る第１押圧力伝達部３８、４０を、並び方向で、中央とは異なる位置（例えば、並び方向での端部位置）に設ける構成を採用しても構わない。
この場合であっても、第１押圧力伝達部３８、４０の直線移動軸に、回転操作部Ｋの回転軸心Ｐを一致させる構成をとる。
【００４０】
（３）上記実施形態では、第１突出部は、一対の第１突出部位４１ａ、４１ｂとから構成したが、別に一対の突出部位から構成する必要はなく、その数は問わない。
また、第２突出部に関しても、２つの第２突出部位４１ｃ、４１ｄから構成したが、別に、２つである必要はなく、その数は問わない。
【００４１】
（４）上記実施形態においては、複数の押圧力伝達部３７、３８、３９、４０は、それらの直線移動方向視（図面で矢印Ｙに沿う方向視）で、一直線に並列配置されるものとし、且つ一直線を水平方向に沿わせるように配設する例を示した。
しかしながら、上述の一直線は水平方向に沿わせなくても、本願の目的を良好に達成できる。
【００４２】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４３】
本発明の流路切換装置及び浄水器は、流路の切り替えを適切に行うことができながらも、コンパクト化を図り得る流路切換装置及び浄水器として、有効に利用可能である。
【符号の説明】
【００４４】
３１      ：コイルバネ
３２      ：コイルバネ
３３      ：コイルバネ
３４、３５、３６      ：弁体
３７      ：押圧力伝達部
３７ａ    ：第２当接部位
３７ｂ    ：第１当接部位
３８      ：第１押圧力伝達部
３８      ：押し部材
３８ａ    ：嵌入部
３８ｂ    ：第１当接部位
３９      ：押圧力伝達部
３９ａ    ：第２当接部位
３９ｂ    ：第１当接部位
４０      ：第１押圧力伝達部
４０ａ、４０ｂ    ：膨出部位
４０ｃ、４０ｄ    ：引退部
４０ｅ    ：凸部
４０ｆ    ：傾斜部位
４０ｇ    ：傾斜部位
４０ｈ    ：凸部
４１      ：カム部材
４１ａ、４１ｂ    ：第１突出部位
４１ｃ、４１ｄ    ：第２突出部位
４１ｅ    ：回転軸部
４５      ：シャワー流出口
４６      ：浄水流出口
４７      ：原水流出口
５１、５２、５３  ：出口側流路
５２ａ    ：切欠部
６０      ：浄化カートリッジ
６４、６５、６６      ：流出口
１００    ：流路切換装置
２００    ：浄水器
Ｃ１      ：第１円
Ｃ２      ：第２円
Ｋ        ：回転操作部
Ｐ        ：回転軸心
Ｓ４      ：弁座
Ｖ１、Ｖ２、Ｖ３      ：弁室
Ｗ１      ：原水流出路
Ｗ２      ：シャワー流出路
Ｗ３      ：浄水流出路
【図１】
0006479528.tif 000002
【図２】
0006479528.tif 000003
【図３】
0006479528.tif 000004
【図４】
0006479528.tif 000005
【図５】
0006479528.tif 000006
【図６】
0006479528.tif 000007
【図７】
0006479528.tif 000008
【図８】
0006479528.tif 000009
【図９】
0006479528.tif 000010
【図１０】
0006479528.tif 000011
【図１１】
0006479528.tif 000012